(57)【要約】【課題】夜間の居室の熱こもりをより少ないエネルギーで効率よく軽減して快適な室内環境を実現することができる建物換気システムを提供する。【解決手段】建物内の居室１に設けられた給気口２及び排気口３と、建物の外壁５に設けられ、建物内に外気を導入可能な外気導入口４とを備える。また、外気導入口４から建物内に導入された外気を給気口２に送る送風手段６と、動作情報保存手段８と、制御手段９とを備える。動作情報保存手段８は、４つの動作モードからなる動作情報を保存し、制御手段９は、動作情報保存手段８に保存された動作情報から選定される動作モードに基づいて送風手段６の動作を制御する。【選択図】図１
2015200437.tif 000002
【特許請求の範囲】
【請求項１】
建物内の居室に設けられた給気口及び排気口と、
建物の外壁に設けられ、建物内に外気を導入可能な外気導入口と、
前記外気導入口から建物内に導入された外気を前記給気口に送る送風手段と、
夜から翌朝にかけて居室で生活する所定の時間帯をｑ、ｑの時間帯の開始時刻以前の所定の時間帯をｐ、ｑの時間帯の終了時刻を含む終了時刻以前の所定の時間帯をｒ（ただし、ｑ＞ｒ）とし、翌朝の外気の予測最低気温と比較する比較温度をａ、ｂ及びｃ（ただし、ａ＜ｂ＜ｃ）としたときに、
翌朝の外気の予測最低気温がａ未満の場合、ｐ及びｑの時間帯で前記送風手段の送風運転を停止させる第一動作モード、
翌朝の外気の予測最低気温がａ以上、ｂ未満の場合、ｐ及びｑの時間帯で前記送風手段を送風運転させる第二動作モード、
翌朝の外気の予測最低気温がｂ以上、ｃ未満の場合、ｐ及びｒの時間帯で前記送風手段を送風運転させ、ｐの時間帯の終了時刻からｒの時間帯の開始時刻まで前記送風手段の送風運転を停止させる第三動作モード、及び
翌朝の外気の予測最低気温がｃ以上の場合、ｐの時間帯で前記送風手段を送風運転させ、ｑの時間帯で前記送風手段の送風運転を停止させる第四動作モード、からなる動作情報を保存する動作情報保存手段と、
この動作情報保存手段に保存された前記動作情報から選定される動作モードに基づいて前記送風手段の動作を制御する制御手段と、を備えることを特徴とする建物換気システム。
【請求項２】
前記動作情報保存手段は印刷物であり、
前記制御手段は、前記送風手段の送風運転の開始時刻及び終了時刻を入力する設定スイッチを有し、選定される動作モードに基づいた前記設定スイッチからの入力に従って前記送風手段の送風運転を行うことを特徴とする請求項１に記載の建物換気システム。
【請求項３】
前記動作情報保存手段は、前記制御手段において前記動作情報を記憶する記憶部として備えられ、
前記制御手段は、さらに、翌朝の外気の予測最低気温を入力する外気情報入力部と、この外気情報入力部から入力された予想最低気温と前記記憶部に記憶された前記比較温度とを照合し、前記記憶部に記憶された前記動作情報から一つの動作モードを選定し、前記送風手段の動作を制御する動作制御部とを備えていることを特徴とする請求項１に記載の建物換気システム。
【請求項４】
前記送風手段は、２回／時以上の前記居室の換気回数を得られる風量であることを特徴とする請求項１から３のいずれか一項に記載の建物換気システム。
【請求項５】
前記給気口に設けられ、前記給気口の開口面積を変えて給気量を調整可能な開度調整グリルと、前記給気口に接続され、前記送風手段からの外気を前記給気口に給気する給気管とを備え、
前記給気管は、前記給気管の給気圧が所定の圧力を越えた場合に開口して管内の外気を管外に放出する排出手段を有することを特徴とする請求項１から４のいずれか一項に記載の建物換気システム。
【発明の詳細な説明】
【技術分野】
【０００１】
本発明は、建物換気システムに関する。
【背景技術】
【０００２】
従来から高気密高断熱住宅の居室を給気により換気するシステムが知られている。例えば、特許文献１では次のとおりの住宅用換気システム装置が提案されている。特許文献１記載の住宅用換気システム装置は、通気口を介して各部屋とそれぞれ連通する共有スペースと、外気取入用の送風装置を有する給気用メインダクトと、排気用の送風装置を有する排気用メインダクトとを備える。この住宅用換気システム装置は、給気用メインダクト及び排気用メインダクトとに切換え可能に接続され、各部屋に延長されたサブダクトも備えており、各部屋に設けられた換気口を前記サブダクトに連通させている。
【０００３】
上記した住宅用換気システム装置は、各部屋の換気口に連通するサブダクトによって各部屋の給気又は排気が選択的に行われる。この装置では、給気によって外気が部屋に導入され、その部屋の空気が共有スペースを通じて別の部屋に流れ、この別の部屋において排気が行われる。このように共有スペースを通じて外気が部屋間を流れる換気流が形成されるため、建物内の複数の部屋を換気することができる。
【先行技術文献】
【特許文献】
【０００４】
【特許文献１】特開平１１−１７３６２３号公報
【発明の概要】
【発明が解決しようとする課題】
【０００５】
高気密高断熱住宅においては、その建物性能から居室に熱がこもりやすい。このような居室の熱こもりは夜間に帰宅した住人に不快感を与えることから、居室の空気よりも涼しい外気を換気によって居室に取り入れて熱こもりを解消することが考えられる。しかしながら、上記した住宅用換気システム装置は、部屋間の換気を共有スペースを通じて行っているため、換気効率が必ずしも十分でなく、熱こもりの解消に時間がかかるなど快適な室内環境を実現することは難しい。居室の窓を開放して熱こもりを解消することが考えられるが、防犯、防音、防視上の問題、雨や空気汚染物質の侵入などの問題があり、やはり快適な室内環境を実現することは難しい。その他、冷房機器を使用することが考えられるが、省エネルギー化促進の観点から冷房機器の使用は必要最低限に留めることが望ましい。
【０００６】
本発明は、以上のとおりの事情に鑑みてなされたものであり、夜間の居室の熱こもりをより少ないエネルギーで効率よく軽減して快適な室内環境を実現することができる建物換気システムを提供することを課題としている。
【課題を解決するための手段】
【０００７】
上記の課題を解決するために、本発明の建物換気システムは、建物内の居室に設けられた給気口及び排気口と、建物の外壁に設けられ、建物内に外気を導入可能な外気導入口と、前記外気導入口から建物内に導入された外気を前記給気口に送る送風手段と、夜から翌朝にかけて居室で生活する所定の時間帯をｑ、ｑの時間帯の開始時刻以前の所定の時間帯をｐ、ｑの時間帯の終了時刻を含む終了時刻以前の所定の時間帯をｒ（ただし、ｑ＞ｒ）とし、翌朝の外気の予測最低気温と比較する比較温度をａ、ｂ及びｃ（ただし、ａ＜ｂ＜ｃ）としたときに、翌朝の外気の予測最低気温がａ未満の場合、ｐ及びｑの時間帯で前記送風手段の送風運転を停止させる第一動作モード、翌朝の外気の予測最低気温がａ以上、ｂ未満の場合、ｐ及びｑの時間帯で前記送風手段を送風運転させる第二動作モード、翌朝の外気の予測最低気温がｂ以上、ｃ未満の場合、ｐ及びｒの時間帯で前記送風手段を送風運転させ、ｐの時間帯の終了時刻からｒの時間帯の開始時刻まで前記送風手段の送風運転を停止させる第三動作モード、及び翌朝の外気の予測最低気温がｃ以上の場合、ｐの時間帯で前記送風手段を送風運転させ、ｑの時間帯で前記送風手段の送風運転を停止させる第四動作モード、からなる動作情報を保存する動作情報保存手段と、この動作情報保存手段に保存された前記動作情報から選定される動作モードに基づいて前記送風手段の動作を制御する制御手段と、を備えることを特徴とする。
【０００８】
この建物換気システムにおいては、前記動作情報保存手段は印刷物であり、前記制御手段は、前記送風手段の送風運転の開始時刻及び終了時刻を入力する設定スイッチを有し、選定される動作モードに基づいた前記設定スイッチからの入力に従って前記送風手段の送風運転を行うことが好ましい。
【０００９】
また、建物換気システムにおいては、前記動作情報保存手段は、前記制御手段において前記動作情報を記憶する記憶部として備えられ、前記制御手段は、さらに、翌朝の外気の予測最低気温を入力する外気情報入力部と、この外気情報入力部から入力された予想最低気温と前記記憶部に記憶された前記比較温度とを照合し、前記記憶部に記憶された前記動作情報から一つの動作モードを選定し、前記送風手段の動作を制御する動作制御部とを備えていることが好ましい。
【００１０】
また、この建物換気システムにおいては、前記送風手段は、２回／時以上の前記居室の換気回数を得られる風量であることが好ましい。
【００１１】
さらにまた、この建物換気システムにおいては、前記給気口に設けられ、前記給気口の開口面積を変えて給気量を調整可能な開度調整グリルと、前記給気口に接続され、前記送風手段からの外気を前記給気口に給気する給気管とを備え、前記給気管は、前記給気管の給気圧が所定の圧力を越えた場合に開口して管内の外気を管外に放出する排出手段を有することが好ましい。
【発明の効果】
【００１２】
本発明の建物換気システムによれば、夜間の居室の熱こもりをより少ないエネルギーで効率よく軽減して快適な室内環境を実現することができる。
【図面の簡単な説明】
【００１３】
【図１】本発明の建物換気システムの一実施形態を適用した建物を示した図である。
【図２】（ａ）（ｂ）（ｃ）はそれぞれ夜間の外気の最低気温と居室の室温との関係を示したグラフである。
【図３】（ａ）は第二動作モードで送風手段の動作を制御したときの居室の室温の時間的推移を示した図であり、（ｂ）は第三動作モードで送風手段の動作を制御したときの居室の室温の時間的推移を示した図である。
【図４】動作情報保存手段の一実施形態である印刷物に記録される動作情報の一例を示した表である。
【図５】本発明の建物換気システムの別の一実施形態を適用した建物を示した図である。
【図６】本発明の建物換気システムのさらに別の一実施形態を適用した建物を示した図である。
【図７】本発明の建物換気システムのさらにまた別の一実施形態を適用した建物を示した図である。
【発明を実施するための形態】
【００１４】
図１は、本発明の建物換気システムの一実施形態を適用した建物を示した図である。
【００１５】
本実施形態の建物換気システムは、建物内の居室１に設けられた給気口２及び排気口３と、建物の外壁５に設けられ、建物内に外気を導入可能な外気導入口４とを備える。また、建物換気システムは、外気導入口４から建物内に導入された外気を給気口２に送る送風手段６を備える。さらにまた、建物換気システムは、動作情報保存手段８と、制御手段９とを備える。動作情報保存手段８は、次の４つの動作モードからなる動作情報を保存する。
翌朝の外気の予測最低気温がａ未満の場合、ｐ及びｑの時間帯で送風手段６の送風運転を停止させる第一動作モード。
翌朝の外気の予測最低気温がａ以上、ｂ未満の場合、ｐ及びｑの時間帯で送風手段６を送風運転させる第二動作モード。
翌朝の外気の予測最低気温がｂ以上、ｃ未満の場合、ｐ及びｒの時間帯で送風手段６を送風運転させ、ｐの時間帯の終了時刻後からｒの時間帯の開始時刻まで送風手段６の送風運転を停止させる第三動作モード。及び、翌朝の外気の予測最低気温がｃ以上の場合、ｐの時間帯で送風手段６を送風運転させ、ｑの時間帯で送風手段６の送風運転を停止させる第四動作モード。
【００１６】
上記の動作モードでは、夜から翌朝にかけて居室で生活する所定の時間帯をｑ、ｑの時間帯の開始時刻以前の所定の時間帯をｐ、ｑの時間帯の終了時刻を含む終了時刻以前の所定の時間帯をｒ（ただし、ｑ＞ｒ）としている。また、翌朝の外気の予測最低気温と比較する比較温度をａ、ｂ及びｃ（ただし、ａ＜ｂ＜ｃ）としている。
【００１７】
制御手段９は、動作情報保存手段８に保存された動作情報から選定される動作モードに基づいて送風手段６の動作を制御する。
【００１８】
より詳細には、図１に示した建物内には、リビング、寝室など複数の居室１が廊下３０で連絡されて設けられている。各居室１には、その居室１内に空気を供給するための給気口２が天井に設けられ、その居室１内の空気を排気するための排気口３が壁に設けられている。なお排気口３としては、建具と床の隙間のような開放空間を利用することもできる。
【００１９】
建物の小屋裏３１の外壁５には、外気を取り込むための外気導入口４が設けられており、外気導入口４から建物内に新鮮な空気が導入可能になっている。小屋裏３１には給気管１１が設けられている。給気管１１は外気導入口４と給気口２とを接続し、外気導入口４と給気口２とが給気管１１を介して連通している。給気管１１の途中には、送風を行う送風手段６として送風ファン７が設けられている。送風ファン７は、例えば、２回／時以上の居室１の換気回数が得られる風量で運転可能なものが採用されることが望ましい。このような送風ファン７を採用することで、より確実に換気を行うことができ、快適な室内環境を実現することができる。また、給気管１１には、送風ファン７の外気導入口４側の位置に、フィルター装置４０が設けられている。フィルター装置４０では、外気導入口４から導入される外気に含まれる塵や埃などの異物が除去される。
【００２０】
本実施形態の建物換気システムにおいては、制御手段９として、送風ファン７の運転、停止、風量の調整など送風ファン７の動作を制御する制御盤５０が廊下３０の壁面に設けられている。制御盤５０は、送風ファン７と電気的に接続されている。
【００２１】
送風ファン７の運転が開始されると、屋外の新鮮な空気（外気）が外気導入口４から取り込まれる。外気導入口４から取り込まれた外気は給気管１１を通じて、順次、フィルター装置４０、送風ファン７を経て給気口２に送られ、居室１内に供給される。居室１内の空気は排気口３から排気される。すなわち、外気導入口４→フィルター装置４０→送風ファン７→給気口２→居室１→排気口３の径路で空気が流れ、居室１の換気が行われる。
【００２２】
制御盤５０による送風ファン７の動作の制御は、動作情報保存手段８に保存された動作情報から選定される動作モードに基づいて行われる。動作情報は、送風ファン７など送風手段６の送風運転の動作モードに関する情報であり、上記した４つの動作モードを有する。４つの動作モードは、夜間の居室１の熱こもりをより少ないエネルギーで効率よく軽減して快適な室内環境を実現することができるように、夜間の熱こもりの程度を考慮して用意されている。夜間の熱こもりの程度は一年を通じて変わる。夜間の熱こもりの程度に応じて、一年を例えば、冬期、春・秋期、夏期、及び真夏期の４つ期間に区分して、上記４つの動作モードを１対１で対応させている。具体的には、冬期、春・秋期、夏期、及び真夏期それぞれに、その記載順に、第一動作モード、第二動作モード、第三動作モード、及び第四動作モードを対応させ、各期間ではその期間に対応する動作モードに基づいて送風手段の送風運転を行う。しかしながら、例えば春・秋期においては夏期並に暑い日もあり、このような日は熱こもりの程度が大きくなることから、春・秋期に対応する動作モードに基づいて送風手段の送風運転を行うことは適当でない。そこで、本実施形態では、翌朝の外気の予測最低気温に応じて４つの動作モードから一の動作モードを選択するようにしている。なお、通常１日の最低気温は、朝方の時間に生じる。そのため翌日の最低気温を翌朝の外気の予測最低気温の代用として用いることが簡便であり好ましい。
【００２３】
第一動作モードは、上記のとおり、ｐ及びｑの時間帯において送風手段６の送風運転を停止させる動作モードである。第二動作モードは、ｐ及びｑの時間帯において送風手段６を送風運転させる動作モードである。第三動作モードは、ｐ及びｒの時間帯において送風手段６を送風運転させ、ｐの時間帯の終了時刻からｒの時間帯の開始時刻まで送風手段６の送風運転を停止させる動作モードである。第四動作モードは、ｐの時間帯において送風手段６を送風運転させ、ｑの時間帯で送風手段６の送風運転を停止させる動作モードである。第三動作モード及び第四動作モードでは、居室１で生活する所定の時間帯ｑ内の一部の時間帯において冷房機器が冷房運転されていてもよい。なお、時間帯ｐの終了時刻と時間帯ｑの開始時刻は同時刻であり、時間帯ｐ及びｑを併せると、連続した一つの時間帯となる。また、時間帯ｑの終了時刻と時間帯ｒの終了時刻は同時刻である。
【００２４】
上記した動作モードでは、夜から翌朝にかけて居室１で生活する所定の時間帯ｑ、ｑの時間帯の開始時刻以前の所定の時間帯ｐ、ｑの時間帯の終了時刻を含む終了時刻以前の所定の時間帯ｒはそれぞれ、使用者の生活に応じて適宜設定される。時間帯ｐ、ｑ及びｒは動作モード毎に同一または別異に設定されていてもよい。時間帯ｑの「夜」は、一般的には、１８時から２４時までの時間を指し、時間帯ｑの翌朝の「朝」は、６時から９時までの時間を指すが、前記した時間は多少拡大されていてもよい。第二動作モード、第三動作モード及び第四動作モードで送風手段６を送風運転させる時間帯ｐの開始時刻は、その時間帯ｐの開始時刻の時点において外気が居室１内の空気よりも涼しくなっているような時刻が設定される。また、第三動作モードで送風手段６を送風運転させる時間帯ｒの開始時刻は、その時間帯ｒの開始時刻の時点において外気が居室１内の空気よりも涼しくなっているような時刻が設定される。
【００２５】
上記した動作モードでは、翌朝の外気の予測最低気温と比較する比較温度ａ、ｂ及びｃは予め設定されている。各比較温度は、建物換気システムが適用される建物の断熱性能やその建物が存する地域の気候条件によって異なる。このような比較温度は、例えば、外気温とその建物の居室１の室温との関係を予め取得しておき、この関係に基づいて設定することができる。
【００２６】
比較温度ａ、ｂ及びｃの設定手順の一例について説明する。この一例では、夜から翌朝にかけて居室１で生活する所定の時間帯において冷房機器を使用しないような時期（例えば、春・秋期）の居室１の快適な室温の範囲を２０℃以上２７℃以下とした場合について説明する。また、夜から翌朝にかけて居室１で生活する所定の時間帯内の一部の時間帯において冷房機器を使用するような時期（例えば、夏期）の居室１の快適な室温の範囲を２７℃超２８℃以下とした場合について説明する。また、この一例では、時間帯ｐを２０時から２２時までの時間帯とし、時間帯ｑを２２時から翌朝の７時までの時間帯とし、時間帯ｒを２時から７時までの時間帯としている。そして冷房機器を使用する場合には、その冷房機器（冷房設定温度２７℃超２８℃以下）の冷房運転時間を２２時から翌日の２時までとしている。
【００２７】
まず、建物換気システムが適用される建物において、冷房機器を使用せずに第二動作モードに従って送風ファン７を送風運転させたときの、外気の最低気温と居室１の室温とのデータを取得する。具体的には、外気の最低気温が異なる日において、冷房機器を使用せずに第二動作モードに従って送風ファン７を送風運転させたときの２２時及び翌朝７時の居室１の室温を測定したデータを取得する。次いで、取得したデータを用いて、図２（ａ）に示すように、外気の最低気温を横軸、翌朝７時の居室１の室温を縦軸としてプロットしてグラフを得る。そのグラフから翌朝の居室１の室温２０℃に対応する夜間の外気の最低気温を求め、その気温をａとする。また、取得したデータを用いて、図２（ｂ）に示すように、外気の最低気温を横軸、２２時の居室１の室温を縦軸としてプロットしてグラフを得る。そのグラフから２２時の居室１の室温２７℃に対応する外気の最低気温を求め、その気温をｂとする。
【００２８】
一方、同建物において、冷房機器を使用して第三動作モードに従って送風ファン７を送風運転させたときの、外気の最低気温と居室１の室温とのデータも取得する。具体的には、外気の最低気温が異なる日において、冷房機器を使用して第三動作モードに従って送風ファン７を送風運転させたときの翌朝７時の居室１の室温を測定したデータを取得する。取得したデータを用いて、図２（ｃ）に示すように、外気の最低気温を横軸、翌朝７時の居室１の室温を縦軸としてプロットしてグラフを得る。そのグラフから翌朝の居室１の室温２８℃に対応する外気の最低気温を求め、その気温をｃとする。
【００２９】
こうして比較温度ａ、ｂ及びｃを設定する。
【００３０】
比較温度ａ、ｂ及びｃ、時間帯ｐ、ｑ及びｒが設定された４つの動作モードからなる動作情報は、図１に示されるように、動作情報保存手段８に保存される。制御盤５０など制御手段９では、動作情報保存手段８に保存された動作情報から選定される動作モードに基づいて送風ファン７など送風手段６の動作を制御する。これによって、夜間の居室１の熱こもりをより少ないエネルギーで効率よく軽減して快適な室内環境を実現することができるという効果が奏される。
【００３１】
具体的には、夜間の居室１の熱こもりがあまり気にならない時期、例えば冬期においては、第一動作モードに基づいて送風ファン７の送風運転が停止される。かかる動作モードでは、冷たい外気を居室１へ取り込まないので、快適な室内環境を実現することができる。また、送風ファン７の送風運転を行わないので、省エネルギー化を図ることができる。
【００３２】
夜間の居室１の熱こもりが多少気になるような時期、例えば春・秋期においては、第二動作モードに基づいて送風ファン７の送風運転が行われる。かかる動作モードでは、居室１内の空気よりも涼しい外気が居室１に取り込まれる。このため、図３（ａ）に示されるように、第二動作モード運転時は送風ファン７の送風運転を行わない非運転時と比べて居室１の室温が下がり、快適に過ごすことができる。なお、図３（ａ）の第二動作モードは、時間帯ｐが２０時〜２２時とされ、時間帯ｑが２２時〜翌朝６時とされている。
【００３３】
夜間の居室１の熱こもりが気になるような時期、例えば夏期においては、第三動作モードに基づいて送風ファン７の送風運転が行われる。かかる時期においては、未明〜明け方は外が涼しくなっている。かかる動作モードでは、就寝の時間帯において居室１内の空気よりも涼しい外気が居室１に取り込まれる。このため、図３（ｂ）に示されるように、第三動作モード運転時は送風ファン７の送風運転を行わない非運転時と比べて室温の上昇が抑制され、朝まで寝苦しくならずに快適に過ごすことができる。また、居室１で生活する時間帯以前に居室１に外気を導入して室温を下げているので、居室１で生活する時間帯に冷房機器を使用する場合には冷房負荷の低減による省エネルギー化を図ることができる。なお、図３（ｂ）の第三動作モードは、時間帯ｐが２０時〜２２時とされ、時間帯ｑが２２時〜翌朝６時とされ、時間帯ｒが２時〜６時とされている。また、２２時から翌日の２時までの間、冷房機器で冷房運転を行っている。
【００３４】
夜間の居室１の熱こもりが特に気になるような時期、例えば真夏期においては、第四動作モードに基づいて送風ファン７の送風運転が行われる。かかる動作モードでは、居室１で生活する時間帯以前に居室１に外気を導入して室温を下げているので、居室１で生活する時間帯に冷房機器を使用する場合には冷房負荷の低減による省エネルギー化を図ることができる。
【００３５】
以上の建物換気システムでは、居室１の窓の開放を要しないので、窓開放による防犯、防音、防視上の問題、雨や空気汚染物質の侵入などの問題の心配はなく、利便性のさらなる向上が期待できる。
【００３６】
本実施形態では、図１に示されるように、動作情報保存手段８が印刷物１２として提供される。印刷物１２には、上記した４つの動作モードからなる動作情報が文字情報として紙などの媒体に印刷により記録されている。印刷物１２には、例えば、図４に示されるように、各動作モードの送風ファンの運転時間が示された表が印刷されている。また、制御手段９としての制御盤５０は、送風ファン７の送風運転の開始時刻及び終了時刻を入力する設定スイッチ１３を有している。この設定スイッチ１３は、その入力情報を入力信号として、後述する制御部５１に送信するように構成されている。制御盤５０は、設定スイッチ１３からの入力信号を受信し、その入力信号に従って送風ファン７の送風運転を行う制御部５１を有する。
【００３７】
使用者は、印刷物１２に記録された動作情報を参照して、天気予報等の翌朝の予測最低気温に基づいて動作情報から一の動作モードを選択する。次いで、選択された動作モードに基づいた制御内容で送風ファン７に送風運転させるように、使用者は送風ファン７の送風運転の開始時刻及び終了時刻を設定スイッチ１３から入力する。使用者は、例えば、図４の表に記載の送風ファン７の送風運転の開始時刻及び終了時刻をそのまま設定スイッチ１３から入力することができる。また、居室１での生活時間など自身の生活様式を考慮し、図４の表に記載の時刻とは異なる時刻を設定スイッチ１３から入力することもできる。
【００３８】
本実施形態では、上記した効果と同様な効果が奏される。さらに、使用者は、印刷物１２に記録された動作情報を参照して動作モードを選定でき、また、自身の生活様式を考慮して送風ファン７の送風運転の開始時刻及び終了時刻を設定スイッチ１３から入力することができる。このため、快適な室内環境をより精度高く、より少ないエネルギーで実現することができる。
【００３９】
図５は、本発明の建物換気システムの別の一実施形態を適用した建物を示した図である。本実施形態では、動作情報保存手段８及び制御手段９の構成が図１の実施形態とは異なっている。それ以外の構成は、図１の実施形態と共通するため、図５では、図１に示した実施形態と同じ部分には同一の符号を付し、その説明を省略する。
【００４０】
本実施形態では、動作情報保存手段８が、制御手段９において動作情報を記憶する記憶部１４として備えられている。また、制御手段９が、翌朝の外気の予測最低気温を入力する外気情報入力部１５と、動作制御部１６とを備えている。動作制御部１６では、外気情報入力部１５から入力された予想最低気温と記憶部１４に記憶された比較温度とを照合し、記憶部１４に記憶された動作情報から一つの動作モードを選定し、送風ファン７の動作を制御する。
【００４１】
記憶部１４は、半導体メモリや磁気ディスクなどの記憶媒体で構成される。記憶部１４は、動作制御部１６においてその実行により第一動作モードから第四動作モードのうち一つの動作モードを選択して送風ファン７を作動させるプログラムデータを記憶する。外気情報入力部１５は、翌朝の外気の予測最低気温を入力し、その入力情報を入力信号として、動作制御部１６に送信する。外気情報入力部１５を手動入力スイッチで構成し、使用者が天気予報等から取得した翌朝の外気の予測最低気温を手動入力スイッチから入力するようにしてもよい。あるいは、外気情報入力部１５を自動入力スイッチで構成し、インターネットを通して自動取得した翌朝の外気の予測最低気温を自動入力スイッチから自動入力するようにしてもよい。動作制御部１６は、ＣＰＵが記憶部１４に記憶されたプログラムデータを実行することにより送風ファン７の動作を制御する。
【００４２】
本実施形態では、外気情報入力部１５からの翌朝の外気の予測最低気温の入力により自動的に送風ファン７の動作が制御されるので、送風ファン７の送風運転の開始時刻及び終了時刻の入力が不要になり、より利便性が高い。外気情報入力部１５が自動入力スイッチで構成される場合、自動取得した翌朝の外気の予測最低気温が自動入力されるので、さらに利便性が高まる。しかも、最新の気象条件に応じた制御を自動的に行うことが可能であるため、快適な室内環境をより精度高く実現することができる。
【００４３】
図６は、本発明の建物換気システムのさらに別の一実施形態を適用した建物を示した図である。本実施形態では、開度調整グリル１７と排気手段１８とを備えた点が図１の実施形態とは異なっている。それ以外の構成は、図１の実施形態と共通するため、図７では、図１に示した実施形態と同じ部分には同一の符号を付し、その説明を省略する。
【００４４】
本実施形態では、給気口２に、給気口２の開口面積を変えて給気量を調整可能な開度調整グリル１７が設けられている。開度調整グリル１７は、給気口２の開口面積を０〜１００％の範囲内の任意の値に調整可能とされている。
【００４５】
また、給気管１１には、排気手段１８としてダンパー１９が送風ファン７の下流側に設けられている。ダンパー１９は、給気管１１の給気圧が所定の圧力を越えた場合に開口して管内の外気を管外に放出する。本実施形態では、給気管１１は小屋裏３１に設けられているので、管内の外気はダンパー１９の開口により小屋裏３１に排気されることになる。
【００４６】
送風ファン７の風量を調整しても各居室１の換気量を個別に調節することは難しい。本実施形態では、居室１毎に開度調整グリル１７の開度を調整することによって各居室１の換気量を個別に適宜の量に調節することができる。また、各居室１において開度調整グリル１７の開度を０％とし給気口２を閉鎖した状態で送風ファン７の送風運転を行った場合でも、ダンパー１９によって給気管１１内の給気圧を所定の圧力内に調節することができる。給気管１１内の給気圧が所定の給気圧よりも増大すると、他室や送風経路に悪影響を及ぼすことがある。本実施形態では、ダンパー１９によって給気管１１内の給気圧が所定の圧力内に調節されるので、他室や送風経路に対する給気管１１内の給気圧増大の影響を抑えることができる。
【００４７】
以上、実施形態に基づき本発明を説明したが、本発明は上記の実施形態に何ら限定されるものではなく、その要旨を逸脱しない範囲内において各種の変更が可能である。例えば、図７に示すように、図１の実施形態においてさらに小屋裏３１に棟換気２０を備えると共に、廊下３０などの非居室から小屋裏３１の棟換気２０へと延びる、非居室の空気を棟換気２０に通気する排気管２１などの通気構造を備えることもできる。なお、図７では、図１に示した実施形態と同じ部分には同一の符号を付している。各居室１からの排気は、居室１→建具隙間→廊下３０などの非居室→排気管２１→棟換気２０の経路で屋外に排気される。本実施形態では、棟換気２０で温度差換気を利用して居室１内の空気を排気することが可能であり、各居室１の空気を排気口３から排気する場合と比較して居室１の熱こもりをより効率的に軽減することができる。また、送風ファン７の送風運転停止時であっても、温度差換気による自然排熱効果を得ることができる。
【符号の説明】
【００４８】
１  居室
２  給気口
３  排気口
４  外気導入口
６  送風手段
８  動作情報保存手段
９  制御手段
１１  給気管
１２  印刷物
１３  設定スイッチ
１４  記憶部
１５  外気情報入力部
１６  動作制御部
１７  開度調整グリル
１８  排気手段
２０  棟換気
【図１】
2015200437.tif 000003
【図２】
2015200437.tif 000004
【図３】
2015200437.tif 000005
【図４】
2015200437.tif 000006
【図５】
2015200437.tif 000007
【図６】
2015200437.tif 000008
【図７】
2015200437.tif 000009